(57)【要約】【課題】バックライト装置に塵や埃等の異物が侵入することを防止することが可能な液晶表示装置を提供することである。【解決手段】  液晶表示パネルと、面状のバックライト光を照射するバックライト装置とを備え、バックライト装置は、光源と、面状の光を照射する導光板と、導光板の裏面側に配置される光学シートと、導光板の照射面側に配置され、複数の光学シートが重ねて配置される光学シート群とを有し、光学シートの内で、導光板の裏面側に配置される少なくとも１枚の第１の光学シートと、光学シート群の内の少なくとも１枚の第２の光学シートとが、少なくともそれぞれ導光板及び他の光学シートよりも外形形状が大きく形成されると共に、  第１の光学シートと第２の光学シートとの周縁部が袋状をなすように固着され、導光板及び他の光学シートが第１の光学シートと前記第２の光学シートとからなる袋状体内に保持される液晶表示装置である。【選択図】  図１
2014174421.tif 000002
【特許請求の範囲】
【請求項１】
液晶表示パネルと、前記液晶表示パネルの裏面側から面状のバックライト光を照射するバックライト装置とを備える液晶表示装置であって、
前記バックライト装置は、光源と、前記光源からの光を面状の光に変換し照射する導光板と、前記導光板の裏面側に配置される光学シートと、前記面状の光を照射する前記導光板の照射面側に配置され、複数の光学シートが重ねて配置される光学シート群とを有し、
前記導光板の裏面側及び照射側に配置される光学シートの内で、前記導光板の裏面側に配置される少なくとも１枚の第１の光学シートと、前記導光板の表面側に配置される前記光学シート群の内の少なくとも１枚の第２の光学シートとが、少なくともそれぞれ導光板及び他の光学シートよりも外形形状が大きく形成されると共に、
前記第１の光学シートと前記第２の光学シートとの周縁部が袋状をなすように固着され、前記導光板及び他の光学シートが前記第１の光学シートと前記第２の光学シートとからなる袋状体内に保持されることを特徴とする液晶表示装置。
【請求項２】
前記第１の光学シートは、前記導光板の裏面側に配置される光学シートの内で最も外側に配置される光学シートであり、
前記第２の光学シートは、前記導光板の表面側に配置される前記光学シート群の内で、前記導光板から最も外側に配置される光学シートであることを特徴とする請求項２に記載の液晶表示装置。
【請求項３】
前記光源は前記袋状体の外側に配置され、前記第１の光学シート又は前記第２の光学シートを介し、前記光源からの光が前記導光板の側面から入射されることを特徴とする請求項１又は２の記載の液晶表示装置。
【請求項４】
前記第１の光学シート又は前記第２の光学シートは、前記光源からの光が透過する透過用の窓部を有することを特徴とする請求項３に記載の液晶表示装置。
【請求項５】
前記光源は前記袋状体内に配置され、前記第１の光学シートもしくは前記第２の光学シートの側面に形成される貫通孔、又は前記第１の光学シートと前記第２の光学シートとの固着部分に形成される貫通孔を介して、前記光源に電源を供給する電源線が接続されることを特徴とする請求項１又は２に記載の液晶表示装置。
【請求項６】
前記貫通孔と前記電源線との間隙が封止されていることを特徴とする請求項５に記載の液晶表示装置。
【請求項７】
前記第１の光学シートと前記第２の光学シートとのそれぞれの対向面側が貼り付けされることを特徴とする請求項１乃至６の内の何れかに記載の液晶表示装置。
【請求項８】
前記第１の光学シートと前記第２の光学シートとの貼り付けは、熱圧着であることを特徴とする請求項７に記載の液晶表示装置。
【請求項９】
液晶表示パネルと、前記液晶表示パネルの裏面側から面状のバックライト光を照射するバックライト装置と、前記バックライト装置を所定位置に保持するモールド部材とを備える液晶表示装置であって、
前記バックライト装置は、光源と、前記光源からの光を面状の光に変換し照射する導光板と、前記導光板の裏面側に配置される光学シートと、前記面状の光を照射する前記導光板の照射面側に配置され、複数の光学シートが重ねて配置される光学シート群とを有し、
前記モールド部材は、前記バックライト装置の裏面側を覆う裏面部と、前記バックライト装置の周囲を囲む側壁部と、前記側壁部から前記バックライト光の照射領域側にせり出し、前記バックライト光の照射領域に沿って開口部が形成されるせり出し部とからなり、
少なくとも前記導光板と、該導光板の裏面側に配置される光学シートと、前記光学シート群とが前記モールド部材内に配置されると共に、
前記光学シート群の内で、前記導光板から遠い最も外側に配置される光学シートの外形形状が少なくとも前記せり出し部の開口部幅よりも大きく形成され、且つ、当該光学シートの周縁部と前記せり出し部の周縁部とが前記開口部に沿って重畳して配置され、
前記導光板から遠い最も外側に配置される光学シートが前記せり出し部の開口部を内側から覆うことを特徴とする液晶表示装置。
【請求項１０】
前記導光板から遠い最も外側に配置される光学シートの周辺部と、前記せり出し部の内壁面とが重畳する領域が、貼り付けされていることを特徴とする請求項９に記載の液晶表示装置。
【請求項１１】
前記導光板及び前記光学シート群の外形形状は、前記せり出し部の開口部幅よりも大きく形成されていることを特徴とする請求項９又は１０に記載の液晶表示装置。
【請求項１２】
前記モールド部材は、外壁面から内壁面に貫通する貫通孔を有し、前記貫通孔内に前記光源が配置されると共に、前記光源と前記貫通孔との隙間が塞がれていることを特徴とする請求項９乃至１１の内の何れかに記載の液晶表示装置。
【発明の詳細な説明】
【技術分野】
【０００１】
本発明は、液晶表示装置に係わり、特に、液晶表示パネルの裏面に配置され、バックライト光を照射するバックライト装置への塵や埃等の異物混入を防止する技術に関する。
【背景技術】
【０００２】
従来の液晶表示装置は、図６に示すように、側壁に沿って一方の面が開口される箱体状の金属部材である下フレームＬＦ内に、樹脂部材で形成されるモールド部材ＭＤが配置され、該モールド部材ＭＤが液晶表示パネルＰＮＬとバックライト装置ＢＵとを所定位置に保持する構成となっている。特に、図６に示す液晶表示装置では、バックライト装置ＢＵを構成する反射シートＲＦ、導光板ＬＧ、光学シート群ＯＳ、及び図示しない光源が、モールド部材ＭＤの底面側に載置される構成となっている。一方、第１基板ＳＵＢ１と第２基板ＳＵＢ２との間に図示しない液晶が封止され、その裏面側と表面側とにそれぞれ偏光板ＰＬ１，ＰＬ２が貼り付けされてなる液晶表示パネルＰＮＬは、モールド部材ＭＤの上面側に載置され、バックライト装置ＢＵからのバックライト光が照射される構成となっている。この液晶表示パネルＰＮＬとバックライト装置ＢＵは、モールド部材ＭＤの内周側の形成される段差部分と、下フレームＬＦに嵌合される上フレームＵＦとで支持され、所定位置に保持される構成となっていた。このため、従来の液晶表示装置では、図６に示すように、上フレームＵＦには表示領域に対応した開口部が形成されており、上フレームＵＦと液晶表示パネルＰＮＬとの間には間隙が形成されてしまう構成となっていたので、矢印ａで示すように、この間隙から塵や埃等の異物ＤＳが侵入してしまうという問題があった。
【０００３】
従来の液晶表示装置の構成では、モールド部材ＭＤに形成される段差等で液晶表示パネルＰＮＬやバックライト装置ＢＵが所定位置に保持される構成となっていた。このため、液晶表示装置の内部に侵入した異物ＤＳは液晶表示装置の振動等に伴い、矢印ｂ，ｃで示すように、モールド部材ＭＤと液晶表示パネルＰＮＬとの間隙やモールド部材ＭＤと光学シート群ＯＳとの間隙等からさらに奥に侵入してしまうこととなっていた。その結果、図６に示すように、バックライト装置ＢＵの内部すなわち光学シート群ＯＳを形成するシート間や導光板ＬＧと光学シート群ＯＳとの間に異物ＤＳが侵入してしまっていた。
【０００４】
この侵入した異物ＤＳは、導光板ＬＧから照射される面状光を遮光してしまうこととなり、特に、光学シート間に異物ＤＳが侵入した場合には、異物ＤＳが拡大（強調）されるために異物ＤＳによる遮光部分（遮光領域）がより拡大（強調）されて、液晶表示パネルＰＮＬに照射されることとなっていた。このような異物ＤＳによる遮光が生じたバックライト光が入射された場合、異物ＤＳによる遮光部分は表示画像中に黒点として表示されてしまういわゆる黒点不良や、表示むら等が生じることとなり、表示画像の品質（表示品位）を大きく低下させてしまうという問題があった。
【０００５】
液晶表示装置内に異物が侵入することを防止する技術として、例えば、特許文献１に記載の技術がある。この特許文献１に記載の技術では、上面が開放される箱体状の第１収納容器と、該第１収納容器の内周面に沿って配置される枠体状の液晶表示パネル支持体とを備える構成となっている。この液晶表示パネル支持体は、第１収納容器の内周面に沿って配置される部分に溝（結合溝）及び段差部が形成されており、光学シートから突出するように設けられた固定部が結合溝に結合されると共に、段差部で液晶表示パネルを支持する構成となっている。このとき、液晶表示パネルが載置される段差部の面には、異物流入防止用の帯形状の突出部（第１異物流入防止部）が形成されると共に、結合溝の形成位置には、液晶表示パネル支持体とは別体で構成される第２異物流入防止部）が配置され、結合溝からの異物の侵入を防止する構成となっている。
【先行技術文献】
【特許文献】
【０００６】
【特許文献１】特開２００４−２７２２６６号公報
【発明の概要】
【発明が解決しようとする課題】
【０００７】
バックライト装置ＢＵへの異物ＤＳの侵入を防止する方法として、例えば、図７に示すように、上フレームＵＦの開口部分に沿って両面テープＴＰ１で上フレームＵＦと液晶表示パネルＰＮＬとを固定すると共に、両面テープＴＰ２で液晶表示パネルＰＮＬの裏面側をモールド部材ＭＤに固定することにより、異物ＤＳの侵入を防止する方法があった。しかしながら、図７に示す構成では、上フレームＵＦと下フレームＬＦとの微小な間隙からの異物ＤＳの侵入を防止することができず、他の方法が要望されていた。
【０００８】
一方、特許文献１に開示される技術においては、液晶表示パネルを裏面側から支持する液晶表示パネル支持体に形成される第１異物流入防止部と液晶表示パネルとの間の微小な間隙や、第２異物流入防止部と液晶表示パネルとの間の微小な間隙からの異物の侵入については何ら考慮されていない。
【０００９】
本発明はこれらの問題点に鑑みてなされたものであり、本発明の目的は、バックライト装置に塵や埃等の異物が侵入することを防止することが可能な液晶表示装置を提供することにある。
【課題を解決するための手段】
【００１０】
（１）前記課題を解決すべく、本願発明の液晶表示装置は、液晶表示パネルと、前記液晶表示パネルの裏面側から面状のバックライト光を照射するバックライト装置とを備える液晶表示装置であって、
前記バックライト装置は、光源と、前記光源からの光を面状の光に変換し照射する導光板と、前記導光板の裏面側に配置される光学シートと、前記面状の光を照射する前記導光板の照射面側に配置され、複数の光学シートが重ねて配置される光学シート群とを有し、
前記導光板の裏面側及び照射側に配置される光学シートの内で、前記導光板の裏面側に配置される少なくとも１枚の第１の光学シートと、前記導光板の表面側に配置される前記光学シート群の内の少なくとも１枚の第２の光学シートとが、少なくともそれぞれ導光板及び他の光学シートよりも外形形状が大きく形成されると共に、
前記第１の光学シートと前記第２の光学シートとの周縁部が袋状をなすように固着され、前記導光板及び他の光学シートが前記第１の光学シートと前記第２の光学シートとからなる袋状体内に保持される液晶表示装置である。
【００１１】
（２）前記課題を解決すべく、本願発明の液晶表示装置は、液晶表示パネルと、前記液晶表示パネルの裏面側から面状のバックライト光を照射するバックライト装置と、前記バックライト装置を所定位置に保持するモールド部材とを備える液晶表示装置であって、
前記バックライト装置は、光源と、前記光源からの光を面状の光に変換し照射する導光板と、前記導光板の裏面側に配置される光学シートと、前記面状の光を照射する前記導光板の照射面側に配置され、複数の光学シートが重ねて配置される光学シート群とを有し、
前記モールド部材は、前記バックライト装置の裏面側を覆う裏面部と、前記バックライト装置の周囲を囲む側壁部と、前記側壁部から前記バックライト光の照射領域側にせり出し、前記バックライト光の照射領域に沿って開口部が形成されるせり出し部とからなり、
少なくとも前記導光板と、該導光板の裏面側に配置される光学シートと、前記光学シート群とが前記モールド部材内に配置されると共に、
前記光学シート群の内で、前記導光板から遠い最も外側に配置される光学シートの外形形状が少なくとも前記せり出し部の開口部幅よりも大きく形成され、且つ、当該光学シートの周縁部と前記せり出し部の周縁部とが前記開口部に沿って重畳して配置され、
前記導光板から遠い最も外側に配置される光学シートが前記せり出し部の開口部を内側から覆う液晶表示装置である。
【発明の効果】
【００１２】
本発明によれば、バックライト装置に塵や埃等の異物が侵入することを防止することができる。
【００１３】
本発明のその他の効果については、明細書全体の記載から明らかにされる。
【図面の簡単な説明】
【００１４】
【図１】本発明の実施形態１の液晶表示装置における概略構成を説明するための断面図である。
【図２】本発明の実施形態１の液晶表示装置におけるバックライト装置の詳細構成を説明するための断面図である。
【図３】本発明の実施形態１の液晶表示装置における他のバックライト装置の詳細構成を説明するための断面図である。
【図４】従来のバックライト装置の詳細構成を説明するための断面図である。
【図５】本発明の実施形態２の液晶表示装置におけるバックライト装置の詳細構成を説明するための断面図である。
【図６】従来の液晶表示装置の概略構成を説明するための断面図である。
【図７】従来の液晶表示装置の概略構成を説明するための断面図である。
【発明を実施するための形態】
【００１５】
以下、本発明が適用された実施形態について、図面を用いて説明する。ただし、以下の説明において、同一構成要素には同一符号を付し繰り返しの説明は省略する。
【００１６】
〈実施形態１〉
図１は本発明の実施形態１の液晶表示装置における概略構成を説明するための断面図であり、以下、図１に基づいて、実施形態１の液晶表示装置の全体構成を説明する。ただし、図中に示すＸ，Ｙ，Ｚは、それぞれＸ軸、Ｙ軸、Ｚ軸を示す。
【００１７】
図１に示すように、実施形態１の液晶表示装置は、例えば、側壁に沿って一方の面が開口される箱体状の金属部材である周知の下フレームＬＦ内に、樹脂部材で形成されるモールド部材（モールドフレーム）ＭＤが配置され、該モールド部材ＭＤが矩形形状の液晶表示パネルＰＮＬとバックライト装置（バックライトユニット）ＢＵとを収納し、且つ所定位置に保持する構成となっている。また、下フレームＬＦの開口側すなわち液晶表示パネルＰＮＬ等が搭載される側には、当該下フレームＬＦの側壁に沿って周知の上フレームＵＦが嵌合され、モールド部材ＭＤに形成される段差に沿い、液晶表示パネルＰＮＬとバックライト装置ＢＵとがそれぞれ所定位置に保持される構成となっている。この構成からなる液晶表示パネルＰＮＬは、モールド部材ＭＤの図中上側の段差部分に載置され、裏面側からバックライト装置ＢＵからのバックライト光が照射される構成となっている。なお、必要に応じて、適宜、液晶表示パネルＬＣＤが両面テープ等で直接にモールド部材ＭＤに固定され、上フレームＵＦを有しない構成であってもよい。
【００１８】
実施形態１の液晶表示装置では、バックライト装置ＢＵは反射シートＲＦ、導光板ＬＧ、光学シート群ＯＳ、及び発光ダイオード等を用いた図示しない光源からなり、該光源を除く反射シートＲＦ、導光板ＬＧ、及び光学シート群ＯＳがモールド部材ＭＤの底面側に載置される構成となっている。一方、液晶表示パネルＰＮＬは、画素が面内方向にマトリクス状に形成される周知の液晶表示パネルであり、周知の薄膜トランジスタや画素電極等が形成され第１基板ＳＵＢ１と、赤（Ｒ），緑（Ｇ），青（Ｂ）のカラーフィルタ等が形成される第２基板ＳＵＢ２を備える構成となっている。また、第１基板ＳＵＢ１と第２基板ＳＵＢ２とは図示しない液晶層を介して対向配置されており、第１基板ＳＵＢ１の図中下面側には偏光板ＰＬ１が貼り付けされ、第２基板ＳＵＢ２の図中正面側には偏光板ＰＬ２が貼り付けされている。
【００１９】
このように、実施形態１の液晶表示装置においても、従来の液晶表示装置と同様に、モールド部材ＭＤの内周側の形成される段差部分に液晶表示パネルＰＮＬとバックライト装置ＢＵとが載置されると共に、下フレームＬＦに上フレームＵＦが嵌合され、液晶表示パネルＰＮＬとバックライト装置ＢＵとが所定位置に保持される構成となっている。このとき、実施形態１の液晶表示装置においては、後に詳述するように、実施形態１のバックライト装置ＢＵを構成する光学シートと反射シートＲＦとからなる袋状体（封止体）内に、導光板ＬＧ及び光学シート群ＯＳが配置（内在）される構成となっている。このように、実施形態１の液晶表示装置では、他の部材を追加することなくバックライト装置ＢＵ全体を覆う構成となっているので、バックライト光の照射効率を低下させることなく、バックライト装置ＢＵの防塵対策を行うことが可能となる。さらには、他の部材を追加しない構成となっているので、部材の追加に伴う生産効率の低下も防止できる。
【００２０】
次に、図２に本発明の実施形態１の液晶表示装置におけるバックライト装置の詳細構成を説明するための断面図を示し、以下、図２に基づいて、実施形態１のバックライト装置ＢＵの詳細構成を説明する。ただし、図２に示す断面図は、図１中に示す丸印Ａ部分の拡大図である。
【００２１】
図２に示すように、実施形態１のサイドライト方式のバックライト装置ＢＵにおいても、例えば、モールド部材ＭＤ内にバックライト装置ＢＵが保持される構成となっている。すなわち、モールド部材ＭＤの側壁部分がバックライト装置ＢＵを構成する光学シート群ＯＳ、導光板ＬＧ、及び反射シートＲＦの周囲を取り囲むように形成されると共に、該モールド部材ＭＤの内側底面が平坦に形成され、この内側底面が反射シートＲＦの裏面側と当接されるようにして、バックライト装置ＢＵが配置される構成となっている。
【００２２】
この実施形態１のバックライト装置ＢＵの構成では、導光板ＬＧの裏面側すなわち面状光の照射側と対向する側には、実施形態１の反射シートＲＦが配置されている。また、導光板ＬＧの表面側（図２中の上面側）すなわち面状光の照射側には、導光板ＬＧ側から順に、周知の下プリズムシートＰＲ１、下拡散シートＤＰ１、上プリズムシートＰＲ２、及び実施形態１の上拡散シートＤＰ２が配置され、光学シート群ＯＳを構成している。この構成により、実施形態１のバックライト装置においても、図示しない周知の光源（例えば、周知の発光ダイオード等）から照射された光が導光板ＬＧの側面から入射され、当該導光板ＬＧの表面側から面状光として照射される。この導光板ＬＧから出射された面状光は、光学シート群ＯＳを介した後に、バックライト光として液晶表示パネルＰＮＬの裏面側に照射される。
【００２３】
このとき、実施形態１のバックライト装置ＢＵの構成では、導光板ＬＧの表面側に配置される光学シート群ＯＳの内で、最も外側すなわち導光板ＬＧから遠い位置に配置されるすなわち液晶表示パネルＰＮＬに最も近い位置に配置される上拡散シート（第２の光学シート）ＤＰ２と、導光板ＬＧの裏面側に配置される反射シート（第１の光学シート）ＲＦ（ただし、導光板ＬＧの裏面側に複数の光学シートが配置される場合には、この複数の光学シートの内で、最も外側すなわち導光板ＬＧから遠い位置に配置される光学シート）が、袋状体を形成する構成となっている。すなわち、実施形態１の構成では、上拡散シートＤＰ２と反射シートＲＦの外形形状が導光板ＬＧや他の光学シート群ＯＳよりも大きく形成されると共に、上拡散シートＤＰ２の周縁部と反射シートＲＦの周縁部とが貼り付け（シール）され、袋状体を形成している。なお、上拡散シートＤＰ２の周縁部と反射シートＲＦの周縁部との貼り付けは、熱による溶着（熱圧着等）及び両面テープやシール材等の周知の粘着材並びに周知の接着剤等による固着（貼り付け）等、適宜、選択可能である。さらには、固着部分は上拡散シートＤＰ２及び反射シートＲＦの基材を露出させ、露出させた基材部分を固着する構成であってもよい。さらには、光学シート群ＯＳの最上面に配置される光学シートと反射シートＲＦとで袋状体を形成し、該袋状体中に導光板ＬＧ及び他の光学シートを封止する構成に限定されることはない。例えば、光学シート群ＯＳの最上面に配置される光学シートが変形や加熱による溶着に適さない場合等には、光学シート群ＯＳの２番目や３番目等の光学シートと反射シートＲＦとで袋状体を形成し、袋状体を形成する光学シートよりも導光板ＬＧに近い光学シートと導光板ＬＧとを袋状体中で封止する構成であってもよい。
【００２４】
また、実施形態１のバックライト装置ＢＵでは、図示しない光源はモールド部材ＭＤに固定される構成、すなわち上拡散シートＤＰ２と反射シートＲＦとからなる袋状体の外側に配置される構成となっている。従って、実施形態１のバックライト装置ＢＵにおいては、導光板ＬＧの側面を覆うように配置される反射シートＲＦを介して、光源から照射された光が導光板ＬＧの側面に入射される構成となる。このとき、光源から照射された光が反射シートＲＦを透過する際の減衰等を抑えるために、反射シートＲＦの導光板ＬＧの辺端部よりも大きい領域には反射用の加工がされていない（例えば、基材のみが延在される）構成、又は光源と導光板ＬＧの側面との間の領域部分に、反射用の加工がされていない窓状の透過領域が形成される構成とすることが好ましい。なお、上拡散シートＤＰ２と反射シートＲＦとの貼り付け部分を導光板ＬＧの側面よりも下方（反射シートＲＦの側）に形成する構成であってもよく、この構成であっても、前述と同様に、導光板ＬＧの側面と光源との間の領域には、光拡散用の処理がされていない（例えば、基材のみが延在される）拡散シートＤＰ２を用いることが好ましい。ただし、上拡散シートＤＰ２はバックライト光として照射される面状光が最後に通過する光学シートであることに加えて、反射シートＲＦの上部には導光板ＬＧや光学シート群ＯＳが配置され、これらの荷重で反射シートＲＦのたわみを軽減させる効果も得られるので、上拡散シートＤＰ２と反射シートＲＦとの貼り付け部分は、上拡散シートＤＰ２の側に近い位置に形成することがより好ましい。さらには、図３に示すように、上拡散シートＤＰ２はその面内方向に伸延させると共に、反射シートＲＦのみをＹ方向に屈曲し伸延させた後に、上拡散シートＤＰ２に貼り付ける構成であってもよい。この図３に示す袋状体の構成とすることにより、上拡散シートＤＰ２に変形部分（屈曲部分）が形成されない構成とすることができ、上拡散シートＤＰ２のたわみの発生に伴う光学特性の変化を防止できるので、さらに好ましい。
【００２５】
前述する構成により、図２や図３に示すように、液晶表示装置内に塵や埃等の異物（侵入異物）ＤＳが侵入した場合であっても、該異物ＤＳが袋状体の内部すなわちバックライト装置ＢＵ内に侵入してしまうことが防止できる（防塵できる）こととなる。すなわち、導光板ＬＧと反射シートＲＦとの間、導光板ＬＧと下プリズムシートＰＲ１との間、及び光学シート群ＯＳを形成する光学シート間に異物ＤＳが侵入してしまうことを防止できる。このとき、塵や埃等の異物ＤＳがバックライト装置ＢＵの上面すなわち上拡散シートＤＰ２の上面であり、バックライト光の照射領域内に侵入することも考えられる。一方、バックライト装置ＢＵと液晶表示パネルＰＮＬとは所定の間隔（クリアランス）を保持するように形成されている。従って、バックライト装置ＢＵ内に侵入した異物ＤＳに比較して、バックライト装置ＢＵの上面に侵入した異物ＤＳは、液晶表示装置本体の姿勢（例えば、縦位置）や使用時の振動等で比較的容易に周辺部分や下側に落下することが考えられる。よって、本願発明では、液晶表示パネルＰＮＬよりも下側に配置されることとなるバックライト装置ＢＵ内部への異物ＤＳの侵入を防止する構成としている。
【００２６】
一方、従来のバックライト装置では、図４に示すように、反射シートＲＦの上面に導光板ＬＧが載置されると共に、該導光板の上面に、順に、下プリズムシートＰＲ１、下拡散シートＤＰ１、上プリズムシートＰＲ２、上拡散シートＤＰ２が載置され、その側面部分が露出される構成となっている。このために、液晶表示装置内に侵入した異物ＤＳが、光学シート群ＯＳの側面部分から各光学シート間に容易に侵入してしまうこととなる。従って、従来のバックライト装置では、異物ＤＳで遮光された領域を含むバックライト光が照射されることとなるので、異物ＤＳによる遮光領域が表示画像中に黒点として表示されてしまう、黒点不良が生じることとなる。
【００２７】
以上説明したように、実施形態１の液晶表示装置におけるバックライト装置ＢＵは、バックライト装置ＢＵを構成する光学シートを用いて袋状体が形成され、導光板ＬＧ及び他の光学シートが袋状体内に配置される構成となっている。よって、新たな構成部材を追加することなく、液晶表示装置内に侵入した塵や埃等の異物ＤＳがバックライト装置ＢＵ内に侵入することを防止できる。すなわち、液晶表示装置の内部に侵入した異物ＤＳが光学シート群ＯＳの間や導光板ＬＧと光学シート群ＯＳとの間の領域に侵入し、異物ＤＳが導光板ＬＧから照射される面状光を遮光してしまうことを防止でき、異物ＤＳによる遮光がないバックライト光を照射できる。その結果、異物ＤＳによる遮光部分が表示画像中に黒点として表示される黒点不良や表示むら等が防止でき、表示画像の表示品位すなわち表示品質を向上させることができる。
【００２８】
さらには、実施形態１のバックライト装置ＢＵの構成では、導光板ＬＧの裏面側と表面側とに配置される光学シートを用いて袋状体を形成する構成となっているので、袋状体を形成する際の光学シートのたわみ等を最小限に抑えることが可能となる。その結果、バックライト装置ＢＵを封止するための各光学シートのたわみに伴うバックライト装置ＢＵの光学特性の劣化を抑制できるという格別の効果を得ることも可能である。特に、スマートフォンやタブレット端末に代表されるような、小型の携帯情報端末の表示装置に用いられる液晶表示装置では、導光板ＬＧや光学シート群ＯＳも非常に薄い構成となる。従って、袋状体を形成する際の光学シートのたわみ等も非常に小さく抑えることが可能となるので、袋状体を形成する光学シートのたわみに伴うバックライト装置ＢＵの光学特性の劣化を大きく抑制できる。
【００２９】
なお、実施形態１の液晶表示装置におけるバックライト装置ＢＵでは、上拡散シートＤＰ２と反射シートＲＦからなる袋状体の外側に光源を配置する場合について説明したが、これに限定されることはない。例えば、導光板ＬＧの側面に光源を固定する等の構成により光源を所定位置に配置させ、袋状体内に光源を配置する構成であってもよい。このとき、上拡散シートＤＰ２と反射シートＲＦとが貼り合わされる部分に貫通孔を形成して該貫通孔に光源用の信号線（電源線）を通す方法や、上拡散シートＤＰ２と反射シートＲＦの何れかに貫通孔を形成して該貫通孔に光源用の信号線を通す方法が考えられる。この場合、貫通孔と信号線との間隙を樹脂封止する等により、袋状体内に塵や埃等の異物ＤＳが侵入することを防止できる。
【００３０】
また、実施形態１の液晶表示装置におけるバックライト装置ＢＵでは、上拡散シートＤＰ２の導光板ＬＧの面と反射シートＲＦの導光板ＬＧの面との周縁部を貼り合わせることにより、袋状体を形成する構成としたが、これに限定されることはない。上拡散シートＤＰ２と反射シートＲＦとを熱で溶着する場合には、溶着面と対向する面すなわち上拡散シートＤＰ２の外側面と反射シートＲＦの外側面とが共に袋状体の外側に配置される必要がある。しかしながら、粘着材等で固着する場合には、上拡散シートＤＰ２の導光板ＬＧの面と反射シートＲＦの外側面との周縁部、又は上拡散シートＤＰ２の外側面と反射シートＲＦの導光板ＬＧの面との周縁部を貼り合わせることも可能となるので、このような構成であってもよい。この場合、上拡散シートＤＰ２と反射シートＲＦとが貼り合わされた部分がバックライト装置ＢＵの外方（外周方向）すなわち袋状体の外方に突出しない形状とすることができるという格別の効果を得ることができる。
【００３１】
さらには、実施形態１の液晶表示装置におけるモールド部材ＭＤでは、従来と同様に、モールド部材ＭＤの底面側は貫通孔等の開口部が形成されない構成の場合について説明したが、これに限定されることはなく、例えば、比較的に塵や埃等の異物ＤＳの侵入がない裏面側すなわち図示しない下フレームＬＦに当接される側には貫通孔が形成される構成であってもよい。ただし、このような貫通孔が形成される構成では、液晶表示装置内に異物ＤＳが容易に侵入できてしまうこととなるので、侵入した異物ＤＳがバックライト装置ＢＵと液晶表示パネルＰＮＬとの間に付着してしまうことを防止するためには、貫通孔を設けない構成とすることが好ましい。
【００３２】
さらにはまた、実施形態１の液晶表示装置におけるバックライト装置ＢＵの構成では、導光板ＬＧの側面位置よりも上方となるバックライト装置ＢＵの高さ方向（Ｙ方向）の中間部分において、上拡散シートＤＰ２と反射シートＲＦとが貼り合わされる構成としたが、これに限定されることはない。例えば、光源からの光が導光板ＬＧの側面に入射することを妨げない範囲において、バックライト装置ＢＵの高さ方向（Ｙ方向）の何れの位置で上拡散シートＤＰ２と反射シートＲＦとが貼り合わされる構成であってもよい。
【００３３】
また、実施形態１の液晶表示装置におけるモールド部材ＭＤにおいて、側壁部分にバックライト装置ＢＵの側に突出する段差部等が形成され、袋状体の内部で導光板ＬＧや光学シート群ＯＳがＸ方向やＺ方向に移動するのを防止する構成であってもよい。さらには、袋状体の内部に配置されることとなる導光板ＬＧと光学シート群ＯＳとのＸ方向幅が異なる大きさで形成される場合について説明したが、導光板ＬＧと光学シート群ＯＳとのＸ方向幅やＺ方向幅を同じ大きさで形成する構成であってもよい。この構成により、袋状体内で導光板ＬＧと光学シートとが位置ずれしてしまうことを防止できるという格別の効果を得ることができる。
【００３４】
〈実施形態２〉
図５は本発明の実施形態２の液晶表示装置におけるバックライト装置の詳細構成を説明するための断面図であり、以下、図５に基づいて、実施形態２のバックライト装置ＢＵの詳細構成について説明する。ただし、図５は実施形態１の図２に対応する図であり、バックライト装置ＢＵを覆うように形成されるモールド部材ＭＤ、反射シートＲＦ、及び上拡散シートＤＰ２の構成が異なるのみで、他の構成は実施形態１のバックライト装置と同様の構成となる。従って、以下の説明では、モールド部材ＭＤの構成について詳細に説明する。
【００３５】
図５から明らかなように、実施形態２のバックライト装置ＢＵでは、従来のバックライト装置と同様に、反射シートＲＦの外形形状は導光板ＬＧの外形形状と同様の外形形状、すなわち反射シートＲＦと導光板ＬＧのＹ方向幅及びＺ方向幅が同じ大きさで形成される構成となっている。また、光学シート群ＯＳを構成する上拡散シートＤＰ２の外形形状においては、他の光学シートと同様の外形形状となっており、上拡散シートＤＰ２と他の光学シートのＹ方向幅及びＺ方向幅が同じ大きさで形成される構成となっている。
【００３６】
一方、実施形態２のモールド部材ＭＤの構成は、図５から明らかなように、導光板ＬＧ等が載置される領域の側壁からバックライト光の照射領域側に突出し、該バックライト光の照射領域を取り囲むようにして、側壁の上端（照射面側の端部）から照射領域側にせり出すように延在する額縁状のせり出し部ＰＰが形成される構成となっている。
【００３７】
すなわち、実施形態２のモールド部材ＭＤにおいては、バックライト装置ＢＵを形成する反射シートＲＦ、導光板ＬＧ、及び光学シート群ＯＳが収納される領域の側壁面よりもバックライト光の照射領域側にせり出すせり出し部ＰＰが形成されている。また、少なくともせり出し部ＰＰのバックライト装置ＢＵ側の壁面（内壁面）が光学シート群ＯＳの面内方向（バックライト装置ＢＵが収納される領域の底面側の内壁面）とほぼ平行に形成され、該せり出し部ＰＰの周端部がバックライト光の照射領域の外側を沿うように形成されている。すなわち、実施形態２のモールド部材ＭＤは、Ｘ−Ｙ面及びＸ−Ｚ面での断面形状がバックライト光の照射領域を開口部とするＣ字状の形状となっている。
【００３８】
この構成により、実施形態２のモールド部材ＭＤでは、せり出し部ＰＰに囲まれる領域に開口部ＯＰが形成され、該開口部ＯＰからバックライト光が照射されることとなる。このとき、図５に示すように、バックライト装置ＢＵを構成する反射シートＲＦ、導光板ＬＧ、及び光学シート群ＯＳの周縁部すなわちバックライト光の照射領域を囲む外側部分（外周部分）はせり出し部ＰＰと重畳する構成となる。すなわち、反射シートＲＦ、導光板ＬＧ、及び光学シート群ＯＳのＸ方向及びＺ方向の外形形状が、せり出し部ＰＰにより形成される開口部ＯＰの外形形状よりも大きく形成されている。なお、実施形態２の構成においては、少なくともバックライト装置ＢＵの最上面に配置されることとなる上拡散シートＤＰ２の外形形状が開口部ＯＰの外形形状よりも大きい構成であれば十分であるが、上拡散シートＤＰ２の剛性等を考慮した場合には、導光板ＬＧや他の光学シートの外形形状も開口部ＯＰの外形形状よりも大きい構成であることが好ましい。
【００３９】
さらには、実施形態２のバックライト装置ＢＵの構成では、反射シートＲＦ、導光板ＬＧ、及び光学シート群ＯＳからなるバックライト装置ＢＵのＹ方向の高さと、せり出し部ＰＰの内面から底面に至るモールド部材ＭＤ内側のＹ方向の高さとが同一又は略同一の高さとなるように形成されている。
【００４０】
よって、実施形態２のバックライト装置ＢＵにおいては、光学シート群ＯＳの最上面に配置される上拡散シートＤＰ２とせり出し部ＰＰとの間に間隙ができない構成となる。従って、モールド部材ＭＤの周囲に塵や埃等の異物ＤＳが侵入してしまった場合であっても、この異物ＤＳがバックライト装置ＢＵの周辺部分に侵入し、導光板ＬＧと光学シート群ＯＳとの間や光学シート群ＯＳの間に侵入してしまうことを防止できる。その結果、実施形態２の液晶表示装置においても、実施形態１と同様に新たな構成部材を追加することなく、実施形態１と同様の効果を得ることができ、バックライト装置ＢＵ内に塵や埃等の異物ＤＳが侵入してしまうことに伴う黒点不良や表示むら等による表示品位の低下を防止することが可能となる。
【００４１】
なお、実施形態２のバックライト装置ＢＵの構成では、モールド部材ＭＤと上拡散シートＤＰ２とを固着しない構成としたが、これに限定されることはない。例えば、せり出し部ＰＰと上拡散シートＤＰ２とが平面的に見て環状に重なる部分を、両面テープ等の周知粘着部材やシール材や接着剤等で環状に粘着（固着）する構成であってもよい。この構成により、モールド部材ＭＤと上拡散シートＤＰ２とでバックライト装置ＢＵ全体を封止するように覆うことが可能となる。
【００４２】
また、実施形態２の構成においても、実施形態１と同様に、モールド部材ＭＤの側面に貫通孔を形成し、該貫通構内に光源を配置して間隙を封止する、又はモールド部材ＭＤ内に光源を配置し、光源に電源を供給する信号線（電源線）はモールド部材ＭＤに形成した貫通孔やスリットを介してモールド部材ＭＤ内に引き込み、信号線と貫通孔又はスリットとの間隙は封止することにより、光源の配置に伴うバックライト装置ＢＵ内への塵や埃等の異物ＤＳを防止することができる。
【００４３】
さらには、実施形態２のバックライト装置ＢＵの構成では、バックライト光の照射領域に対応する開口部を有する袋状部材を追加し、該袋状部材内に反射シートＲＦ、導光板ＬＧ、及び光学シート群ＯＳを入れ、当該袋状部材の開口部に沿い、光学シート群ＯＳの最も外側に配置される上拡散シートＤＰ２と袋状部材の開口部とを固着し、従来形状のモールド部材ＭＤの内側に配置する構成であっても、バックライト装置ＢＵ内への異物ＤＳの侵入を防止できる。
【００４４】
なお、実施形態１，２の液晶表示装置では、下プリズムシートＰＲ１、下拡散シートＤＰ１、上プリズムシートＰＲ２、及び上拡散シートＤＰ２で光学シート群ＯＳを形成する構成としたが、これに限定されることはなく、適宜、他の光学シートを用いる構成であってもよい。ただし、実施形態１のバックライト装置の構成にあっては、光学シート群ＯＳの最上面に配置される光学シートと反射シートＲＦとで袋状体を形成し、その内部に導光板ＬＧや他の光学シートが保持される構成とすることにより、塵や埃等の異物ＤＳの侵入に伴うバックライト光にムラが生じてしまうことを防止できる。
【００４５】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００４６】
ＵＦ……上フレーム、ＬＦ……下フレーム、ＰＮＬ……液晶表示パネル、ＬＧ……導光板
ＳＵＢ１……第１基板、ＳＵＢ２……第２基板、ＰＬ１，ＰＬ２……偏光板
ＢＵ……バックライト装置、ＭＤ……モールド部材、ＲＦ……反射シート
ＯＳ……光学シート群、ＰＲ１……下プリズムシート、ＰＲ２……上プリズムシート
ＤＰ１……下拡散シート、ＤＰ２……上拡散シート、ＰＰ……せり出し部
ＴＰ１，ＴＰ２……両面テープ
【図１】
2014174421.tif 000003
【図２】
2014174421.tif 000004
【図３】
2014174421.tif 000005
【図４】
2014174421.tif 000006
【図５】
2014174421.tif 000007
【図６】
2014174421.tif 000008
【図７】
2014174421.tif 000009